(57)【要約】      （修正有）【課題】コゲ及び／又は油汚れ取り用のチキソトロピー性洗浄剤を収納するためのトリガー式スプレー容器を提供する。【解決手段】コゲ及び／又は油汚れ取り用のチキソトロピー性洗浄剤と、容器本体１と、トリガー式スプレー２とからなるトリガー式スプレー容器であって、チキソトロピー性洗浄剤は、少なくとも強アルカリ性物質：２〜１０質量％と、層状ケイ酸塩：１〜３質量％と、残部の水を撹拌混合したものであり、容器本体１は、チキソトロピー性洗浄剤を内部に収容するための容器であり、トリガー式スプレー２は、容器本体１の上部に取り付けられていて、容器本体１の内部に収容されたチキソトロピー性洗浄剤の噴霧機構３と、この噴霧機構３を駆動するためのトリガー機構４とから構成されている。【選択図】図１
0003217258.tif 000002
【実用新案登録請求の範囲】
【請求項１】
コゲ及び／又は油汚れ取り用のチキソトロピー性洗浄剤と、容器本体と、トリガー式スプレーとからなるトリガー式スプレー容器であって、
前記チキソトロピー性洗浄剤は、少なくとも強アルカリ性物質：２〜１０質量％と、層状ケイ酸塩：１〜３質量％と、残部の水を撹拌混合したもので、コゲ及び／又は油汚れ面に付着してタレ落ちないものであり、
前記容器本体は、前記チキソトロピー性洗浄剤を内部に収容するための容器であり、
前記トリガー式スプレーは、前記容器本体の上部に取り付けられていて、容器本体の内部に収容された前記チキソトロピー性洗浄剤をコゲ及び／又は油汚れ面に噴射するための噴霧機構と、この噴霧機構を駆動するためのトリガー機構とから構成されていることを特徴とするトリガー式スプレー容器。
【請求項２】
強アルカリ性物質は、アルカリ金属およびテトラアルキルアンモニウムの水酸化物、アルカリ土類金属などの水酸化物の１種又は２種以上である請求項１に記載のトリガー式スプレー容器。
【請求項３】
チキソトロピー性洗浄剤中に浸透剤が配合されている請求項１または２に記載のトリガー式スプレー容器。
【請求項４】
チキソトロピー性洗浄剤中にカビ取り剤が配合されている請求項１〜３のいずれかに記載のトリガー式スプレー容器。
【考案の詳細な説明】
【技術分野】
【０００１】
本考案は、コゲ及び／又は油汚れ取り用のチキソトロピー性洗浄剤を収納するためのトリガー式スプレー容器であって、前記チキソトロピー性洗浄剤はコゲや油汚れ上に留まってコゲや油汚れを溶かして落とすものであり、このチキソトロピー性洗浄剤をコゲや油汚れ上に均一に噴霧することができるトリガー式スプレー容器に関するものである。
【背景技術】
【０００２】
従来から、ステンレス製や鉄製のフライパン・鍋・ヤカン等に付着したコゲや油汚れを取るための洗剤は種々のものが提供されているが、ほとんどのものは研磨剤が混入されていてタワシで研磨することによりコゲや油汚れを削り取るタイプである。
【０００３】
しかしながら、この場合は研磨処理に長時間要する上に、強い腕力が必要であり、特に女性や子供にとっては厳しい作業になるという問題があった。また、研磨処理した表面が錆やすくなるとか、油汚れが付着しやすくなる等の問題があり、その後、頻繁にコゲや油汚れの除去処理を行う必要があった。
【０００４】
一方、本件出願人は洗浄剤の垂れ落ちを防止できるチキソトロピー性洗浄剤を用いた洗浄剤を開発し、先に特許文献１として提案している。このチキソトロピー性洗浄剤は、被洗浄面が垂直面や傾斜面であっても、被洗浄面に付着した洗浄剤が垂れ落ちるのを防止して洗浄力を発揮できるものである。なお、チキソトロピー性洗浄剤としては、例えば、膨潤性珪酸塩を使用したもの（特許文献１を参照）や、無機粘度鉱物を使用した漂白剤組成物（特許文献２を参照）等が存在している。
そこで本件出願人は、前記チキソトロピー性洗浄剤を利用してフライパンや鍋等に付着したコゲや油汚れを腕力を要することなく、簡単に除去することができる新たな洗浄剤とその容器の開発を試みた。
【先行技術文献】
【特許文献】
【０００５】
【特許文献１】実用新案登録第３１５１８０６号公報
【特許文献２】特開平１１−２６３９９８号公報
【特許文献３】特開２００１−７２６８８号公報
【考案の概要】
【考案が解決しようとする課題】
【０００６】
本考案は上記のような従来の問題点を解決して、コゲや油汚れ上に留まることが可能であり、更にコゲや油汚れを溶かして落とす働きをするチキソトロピー性洗浄剤をコゲや油汚れ上に均一に噴霧することができるトリガー式スプレー容器を提供することを目的とするものである。
【課題を解決するための手段】
【０００７】
上記課題を解決するためになされた本考案のトリガー式スプレー容器は、コゲ及び／又は油汚れ取り用のチキソトロピー性洗浄剤と、容器本体と、トリガー式スプレーとからなるトリガー式スプレー容器であって、
前記チキソトロピー性洗浄剤は、少なくとも強アルカリ性物質：２〜１０質量％と、層状ケイ酸塩：１〜３質量％と、残部の水を撹拌混合したもので、コゲ及び／又は油汚れ面に付着してタレ落ちないものであり、
前記容器本体は、前記チキソトロピー性洗浄剤を内部に収容するための容器であり、
前記トリガー式スプレーは、前記容器本体の上部に取り付けられていて、容器本体の内部に収容された前記チキソトロピー性洗浄剤をコゲ及び／又は油汚れ面に噴射するための噴霧機構と、この噴霧機構を駆動するためのトリガー機構とから構成されていることを特徴とするものであり、これを請求項１に係る考案とする。
【０００８】
好ましい実施形態によれば、前記強アルカリ性物質は、アルカリ金属およびテトラアルキルアンモニウムの水酸化物、アルカリ土類金属などの水酸化物の１種又は２種以上であることが好ましく、これを請求項２に係る考案とする。
【０００９】
また、その他の好ましい実施形態によれば、前記チキソトロピー性洗浄剤中に浸透剤が配合されているのが好ましく、これを請求項３に係る考案とする。
【００１０】
また、その他の好ましい実施形態によれば、前記チキソトロピー性洗浄剤中にカビ取り剤が配合されているのが好ましく、これを請求項４に係る考案とする。
【考案の効果】
【００１１】
請求項１に係る考案では、コゲ及び／又は油汚れ取り用のチキソトロピー性洗浄剤と、容器本体と、トリガー式スプレーとからなるトリガー式スプレー容器であって、前記チキソトロピー性洗浄剤は、少なくとも強アルカリ性物質：２〜１０質量％と、層状ケイ酸塩：１〜３質量％と、残部の水を撹拌混合したもので、コゲ及び／又は油汚れ面に付着してタレ落ちないものであり、前記容器本体は、前記チキソトロピー性洗浄剤を内部に収容するための容器であり、前記トリガー式スプレーは、前記容器本体の上部に取り付けられていて、容器本体の内部に収容された前記チキソトロピー性洗浄剤をコゲ及び／又は油汚れ面に噴射するための噴霧機構と、この噴霧機構を駆動するためのトリガー機構とから構成されているものとしたので、チキソトロピー性洗浄剤をコゲや油汚れ上に簡単かつ均一に噴霧することができる。また、噴霧されたチキソトロピー性洗浄剤は垂れることがなくコゲや油汚れ上に長く留まるとともに、コゲや油汚れを溶かして洗浄剤の表面に浮き上がらせるため、水洗いして洗浄剤を洗い落とすとコゲや油汚れもいっしょに流れ落ちることとなる。
【００１２】
また、請求項２に係る考案では、前記強アルカリ性物質は、アルカリ金属およびテトラアルキルアンモニウムの水酸化物、アルカリ土類金属などの水酸化物の１種又は２種以上としたので、これらの強アルカリ性物質によってコゲや油汚れを溶かして完全に除去することができ、従来のように削り落とすための多大な労力が不要となる。
【００１３】
また、請求項３に係る考案では、前記チキソトロピー性洗浄剤中に浸透剤が配合されているものとしたので、コゲや油汚れ中に浸透して溶かしたうえ、浮き上がらせて水洗いで簡単に洗い流すことができる。
【００１４】
また、請求項４に係る考案では、前記チキソトロピー性洗浄剤中にカビ取り剤が配合されているものとしたので、コゲや油汚れを除去後においてフライパンや鍋等の表面にカビが発生するのを防止することができる。
【図面の簡単な説明】
【００１５】
【図１】本考案の実施の形態を示す正面図である。
【考案を実施するための形態】
【００１６】
以下に、図面を参照しつつ本考案の好ましい実施の形態を示す。
図１は、本考案に係るトリガー式スプレー容器を示すものであり、図において、１は容器本体、２はこの容器本体１の上部に取り付けられるトリガー式スプレーである。また、前記容器本体１の内部にはコゲ及び／又は油汚れ取り用のチキソトロピー性洗浄剤が収容されている。
【００１７】
前記チキソトロピー性洗浄剤は、少なくとも強アルカリ性物質：２〜１０質量％と、層状ケイ酸塩：１〜３質量％と、残部の水を撹拌混合したものである。ここで、チキソトロピー性とは粘性を有していて洗浄面に付着している洗浄剤が垂れ落ちない性質を意味するもので、コゲ及び／又は油汚れ面にスプレー塗布した場合に洗浄剤が液ダレすることなく、そのまま残留した状態を維持できるという効果を奏する。
【００１８】
前記強アルカリ性物質は、コゲや油汚れを金属面上から溶かして浮き上がらせる成分であり、例えば、アルカリ金属およびテトラアルキルアンモニウムの水酸化物、アルカリ土類金属などの水酸化物の１種又は２種以上を用いることができる。具体的なアルカリ金属の水酸化物としては、例えば水酸化リチウム、水酸化ナトリウム、水酸化カリウムなどがあり、テトラアルキルアンモニウムの水酸化物としては、例えば水酸化テトラメチルアンモニウムや水酸化テトラエチルアンモニウムなどがある。また、アルカリ土類金属などの水酸化物としては、例えば水酸化カルシウム、水酸化ストロンチウム、水酸化バリウムなどがある。
また、洗浄剤中の含有量としては、２〜１０質量％の範囲が好ましい。２質量％未満ではコゲや油汚れをしっかりと溶かすことが難しく、一方、１０質量％を超えてもコゲや油汚れを溶かす効果はそれほど向上しない。特に、３〜６質量％の含有量の範囲が好ましい。
【００１９】
層状ケイ酸塩は、洗浄剤に粘性を付与してチキソトロピー性を発揮させる成分であり、洗浄剤中の含有量は、１〜３質量％の範囲が好ましい。１質量％未満では十分な粘性を付与することが難しく、一方、３質量％を超えると目詰まりしてトリガー式スプレー容器で噴霧することが難しくなる。層状ケイ酸塩としては、例えば、ロックウッド社製の多層合成ケイ酸塩であるラポナイト「ＬＡＰＯＮＩＴＥ」（登録商標）を用いることができる。
【００２０】
残部をしめる水には、イオン交換水を用いるのが好ましい。その他に、蒸留水、脱イオン水等の他の精製水を用いることもできる。
【００２１】
また、前記チキソトロピー性洗浄剤中に浸透剤を配合することもできる。この浸透剤は洗浄剤をコゲや油汚れの内部へ速やかに浸透させるものであり、例えば、アルコール系溶剤やグリコール系溶剤を用いることができる。洗浄剤中の含有量としては、５〜２０質量％の範囲で添加するが好ましい。
【００２２】
また、前記チキソトロピー性洗浄剤中にカビ取り剤を配合することもできる。カビ取り剤を配合した場合は、洗浄処理後の金属表面にカビが発生するのを防止することができる。カビ取り剤としては、一般的な次亜塩素酸ナトリウムや乳酸を用いることができ、洗浄剤中の含有量としては、１〜１０質量％の範囲で添加するが好ましい。
【００２３】
容器本体１は、前記チキソトロピー性洗浄剤を内部に収容するための容器であり、例えば、ポリエチレンやポリプロピレンやポリスチレン等の合成樹脂で形成されている。透明性を有する合成樹脂で形成すれば、使用者が内部に収容された洗浄剤を視認できるため便利である。
【００２４】
前記容器本体１の上部には、トリガー式スプレー２が取り付けられている。このトリガー式スプレー２は、容器本体の内部に収容された前記チキソトロピー性洗浄剤をコゲ及び／又は油汚れ面に噴射するための噴霧機構３と、この噴霧機構３を駆動するためのトリガー機構４とから構成されている
【００２５】
前記噴霧機構３は、容器本体１の内部に収納された洗浄剤を輸送する送出パイプ３ａと、送出パイプ３ａの端部に連結された吸入弁３ｂと、吸入弁３ｂに連結されたポンプ部３ｃと、ポンプ部３ｃに連結された吐出弁３ｄと、吐出弁３ｄから噴射口３ｆに延びる発射パイプ３ｅと、発射パイプ３ｅの端部に取り付けられた噴射口３ｆとから構成されている。
【００２６】
前記トリガー機構４は、発射パイプ３ｅの下部に前後に搖動可能な用に軸支されたトリガーレバー４ａと、トリガーレバー４ａとポンプ部３ｃとを連結するロッド４ｂと、トリガーレバー４ａを元の位置に復帰させるスプリング（図示せず）とから構成されている。
【００２７】
以上のように構成されたトリガー式スプレーでは、使用者がトリガーレバー４ａを引くと、ロッド４ｂはトリガーレバー４ａと連動して手前に押し込まれることによりポンプ部３ｃを圧縮し、ポンプ部３ｃ内の洗浄剤を加圧する。加圧された洗浄剤は、吐出弁３ｄから発射パイプ３ｅに圧送されるとともに、空気と混合されて噴射口３ｆから噴射されることとなる。
【００２８】
洗浄剤がコゲや油汚れ面にスプレー塗布されると、洗浄剤は層状ケイ酸塩を含んでチキソトロピー性を有しているため液ダレすることなく、そのまま残留した状態が維持されることとなる。また、洗浄剤は強アルカリ性物質を含んでいるため、残留した状態中にコゲや油汚れを溶かして浮き上がらせることとなる。
【００２９】
この結果、所定時間が経過した後に水洗いをして洗浄剤を流すと、洗浄剤中に溶かされたコゲや油汚れも洗浄剤とともに簡単に洗い流されることとなる。従って、従来のようにタワシ等を用いてコゲや油汚れを削り落とす必要がなく、誰もが簡単に除去処理できることとなる。しかも、フライパンや鍋等の表面を傷付けないため美しい状態を維持できるとともに使用寿命を大幅に延ばすことが可能となるという利点もある。
【００３０】
なお、以上の説明はトリガー式スプレー容器について説明したが、その他に、容器本体の上部に刷毛やメッシュ布等の塗布用面部材が取り付けられていて、この塗布用面部材によりチキソトロピー性洗浄剤をコゲや油汚れ面に塗布するようにした容器とすることもできる。
【符号の説明】
【００３１】
１  容器本体１
２  トリガー式スプレー
３  噴霧機構
３ａ  送出パイプ
３ｂ  吸入弁
３ｃ  ポンプ部
３ｄ  吐出弁
３ｅ  発射パイプ
３ｆ  噴射口
４  トリガー機構
４ａ  トリガーレバー
４ｂ  ロッド
【図１】
0003217258.tif 000003